(57)【要約】【課題】少ない取付スペースで、比較的安定した取り付けができ、しかも必要に応じて着脱容易な仮止めも可能とする。【解決手段】光ファイバトレイ２３上に、第１の光中継アダプタ２４を保持するアダプタホルダ部２５を設ける。このアダプタホルダ部２５は、光中継アダプタ２４の接続部２４ａ，２４ｂの幅に対応する間隔でもって平行に配置される左右一対の縦板部２５ａ，２５ａを有する。各縦板部２５ａに、第１の光中継アダプタ２４のフランジ部２４ｃの厚さに相当する間隔を有する係合スリット２５ｂを形成する。各縦板部２５ａは、係合スリット２５ｂを挟んで、一側の部分２５ａａの高さを、他側の部分２５ａｂの高さよりも低くする。一側の部分２５ａａの内面側に、係止プレート部２４ｄが弾性的に係止される係合凹部２５ｃを形成する。【選択図】  図７
2010002477.tif 000002
【特許請求の範囲】
【請求項１】
光中継アダプタがアダプタホルダを介して取り付けられ、前記光中継アダプタは、光コネクタが接続される２つの接続部と、それらの間において左右側方に突出する一対のフランジ部と、一方の接続部の左右側面に設けられる一対の係止プレート部とを有する光中継アダプタの取付構造であって、
前記アダプタホルダは、前記光中継アダプタの各接続部の幅に対応する間隔でもって配置される一対の縦板部と、前記各縦板部に形成され前記光中継アダプタのフランジ部の厚さに相当する間隔を有する係合スリットとを備え、
前記一対の縦板部の少なくとも一方の縦板部の内面側に、前記係止プレート部が弾性的に係止される係合凹部が形成されていることを特徴とする光中継アダプタの取付構造。
【請求項２】
前記各縦板部は、前記係合スリットを挟んで一側の部分の高さが他側の部分の高さよりも低く形成され、
さらに、前記各縦板部の一側の部分は、前記光中継アダプタの係止プレート部の少なくとも一部を押圧可能である高さを有することを特徴とする請求項１記載の光中継アダプタの取付構造。
【請求項３】
第１の光中継アダプタを保持するアダプタホルダ部が形成された光ファイバトレイを備え、前記第１の光中継アダプタは、光コネクタが接続される２つの接続部と、それらの間において左右側方に突出する一対のフランジ部と、一方の接続部の左右側面に設けられる一対の係止プレート部とを有する光受信機であって、
前記光ファイバトレイ上に、前記第１の光中継アダプタの接続部の幅に対応する間隔でもって配置される一対の縦板部が形成され、前記各縦板部に、前記第１の光中継アダプタのフランジ部の厚さに相当する間隔を有する係合スリットが形成され、
前記一対の縦板部の少なくとも一方の縦板部の内面側に、前記係止プレート部が弾性的に係止される係合凹部が形成されていることを特徴とする光受信機。
【請求項４】
前記各縦板部は、前記係合スリットを挟んで一側の部分の高さが他側の部分の高さよりも低く形成され、
さらに、前記各縦板部の一側の部分は、前記光中継アダプタの係止プレート部の少なくとも一部を押圧可能である高さを有することを特徴とする請求項３記載の光受信機。
【請求項５】
前記光ファイバトレイには、前記アダプタホルダ部の一側の部分側に、前記光ファイバトレイの下側に配置される第２の光中継アダプタに光コネクタを接続するための開口が形成され、
前記第１の光中継アダプタと前記第２の光中継アダプタとは、それらに対する光コネクタの差し込み方向が、平面視でずれていることを特徴とする請求項３または４記載の光受信機。
【請求項６】
前記第１の光中継アダプタは通信系の光ファイバの接続に用いられるものであることを特徴とする請求項３〜５のいずれかに記載の光受信機。
【発明の詳細な説明】
【技術分野】
【０００１】
本発明は、光中継アダプタの取付構造及びそれを用いた光受信機に関するものである。
【背景技術】
【０００２】
従来より、光受信機においては、光受信部を構成するシールドケースの前面側に、光中継アダプタ（光アダプタ）を設け、その光中継アダプタの先端側に、外部から導入される放送系の光ファイバの光コネクタが接続され、他端側に、シールドケース内のＯ／Ｅ変換手段と接続された光ファイバの光コネクタが抜き差し可能に接続される構成とされたものは知られている（例えば、特許文献１参照）。
【０００３】
この特許文献１記載のものでは、光中継アダプタを、シールドケースにねじ止めにより固定しているため、ねじ止めという細かい作業が必要で、光中継アダプタを取り外す場合の作業も面倒である。
【０００４】
そこで、光受信機のシールドケースに、光中継アダプタのフランジ部が係合するスリットを有する樹脂製のアダプタホルダを設け、その樹脂製のアダプタホルダのスリットに、光中継アダプタのフランジ部を係合させた状態で、前記アダプタホルダの係止爪部が光中継アダプタのフランジ部を弾性的に係止するようにしたものも知られている（例えば、特許文献２参照）。
【０００５】
ところで、特許文献１，２に記載のものは、光中継アダプタでもって、放送系の光ファイバの接続を行うものであるが、そのような放送系の光ファイバだけでなく、光ファイバトレイ上で巻かれて、外部に導出され、通信用端末に接続される通信系の光ファイバについても、溶着により接続したりメカニカルスプライスで固定的に接続したりするのではなく、光中継アダプタを用いて、光受信機内で、接続・接続解除可能に接続したいという要求がある。
【特許文献１】特開２００５−２５０９３号公報（段落００１３及び図１，図５）
【特許文献２】特開２００７−３２８２９１号公報（段落００２６〜００３１及び図２〜図５参照）
【発明の開示】
【発明が解決しようとする課題】
【０００６】
特許文献２に記載の構造のように、樹脂製のアダプタホルダを用いて光中継アダプタを取り付ける構造の場合には、アダプタホルダを用いる分だけ上下方向にスペースが必要であるし、係止爪部に用いて係止するようにしているので、その係止爪部が上方に突出する部分だけ、さらに上下方向にスペースが必要となる。そのため、蓋体にて上下方向スペースについて制約を受ける光ファイバトレイ上に、光中継アダプタを設ける場合などにおいては、特許文献２に記載の構造を、そのまま採用することができない。また、特許文献２に記載の構造のように係止爪部にて係止する構造であれば、光中継アダプタが外れにくいように取り付けられるため、工場出荷時などにおいて、着脱が容易な仮止め状態で取り付けるというようなことができない。
【０００７】
この発明は、少ない取付スペースで、比較的安定した取り付けができ、しかも必要に応じて着脱容易な仮止めも可能である光中継アダプタの取付構造及びそれを用いた光受信機を提供することを目的とする。
【課題を解決するための手段】
【０００８】
請求項１の発明は、光中継アダプタがアダプタホルダを介して取り付けられ、前記光中継アダプタは、光コネクタが接続される２つの接続部と、それらの間において左右側方に突出する一対のフランジ部と、一方の接続部の左右側面に設けられる一対の係止プレート部とを有する光中継アダプタの取付構造であって、前記アダプタホルダは、前記光中継アダプタの各接続部の幅に対応する間隔でもって配置される一対の縦板部と、前記各縦板部に形成され前記光中継アダプタのフランジ部の厚さに相当する間隔を有する係合スリットとを備え、前記一対の縦板部の少なくとも一方の縦板部の内面側に、前記係止プレート部が弾性的に係止される係合凹部が形成されていることを特徴とする。
【０００９】
このようにすれば、仮止めの場合における光中継アダプタの着脱の容易性を確保して、安定した取り付けが可能となる。つまり、光中継アダプタの取付方向を変えることで、着脱容易な仮止めと、安定した取り付けとを選択することができる。例えば、出荷時には、係止プレート部を有する接続部が前記一側の部分になるように光中継アダプタをアダプタホルダに対して嵌め込むことで、着脱容易な仮止めができる一方、係止プレート部を有する接続部が前記他側の部分になるように嵌め込むことで、光中継アダプタの係止プレート部が第２の縦板部の係合凹部に係合するので、不用意に外れない、安定した取付状態となる。
【００１０】
特に、光中継アダプタの係止プレート部と前記他側の部分（縦板部）の係合凹部との係合関係で、光中継アダプタをアダプタホルダに係止するようになっているので、ホルダの係止爪部でフランジ部を係止する場合のようにアダプタホルダの高さを高くする必要がなく、また、ねじ止めする場合のように取付作業が面倒でもないので、少ない取付スペースであっても、取付作業も容易とある。しかも、特別な部材を必要としないので、コストアップすることがなく、安価であり、省スペースも図れる。
【００１１】
請求項２に記載のように、前記各縦板部は、前記係合スリットを挟んで一側の部分の高さが他側の部分の高さよりも低く形成され、さらに、前記各縦板部の一側の部分は、前記光中継アダプタの係止プレート部の少なくとも一部を押圧可能である高さを有することが望ましい。
【００１２】
このようにすれば、光中継アダプタのうち前記各縦板部の他側の部分に嵌め込まれている部分やフランジ部を把持することで、着脱を容易に行うことができる。
【００１３】
請求項１または２に記載の構造を用いて、光受信機を請求項３〜５の発明のように構成することができる。
【００１４】
請求項３の発明は、第１の光中継アダプタを保持するアダプタホルダ部が形成された光ファイバトレイを備え、前記第１の光中継アダプタは、光コネクタが接続される２つの接続部と、それらの間において左右側方に突出する一対のフランジ部と、一方の接続部の左右側面に設けられる一対の係止プレート部とを有する光受信機であって、前記光ファイバトレイ上に、前記第１の光中継アダプタの接続部の幅に対応する間隔でもって配置される一対の縦板部が形成され、前記各縦板部に、前記第１の光中継アダプタのフランジ部の厚さに相当する間隔を有する係合スリットが形成され、前記一対の縦板部の少なくとも一方の縦板部の内面側に、前記係止プレート部が弾性的に係止される係合凹部が形成されていることを特徴とする。
【００１５】
このようにすれば、光ファイバトレイ上の、スペース上の制約を受ける部位に、仮止め容易性と、安定した取付性との両立が図れるアダプタホルダ部を設けることができる。
【００１６】
請求項４に記載のように、前記各縦板部は、前記係合スリットを挟んで一側の部分の高さが他側の部分の高さよりも低く形成され、さらに、前記各縦板部の一側の部分は、前記光中継アダプタの係止プレート部の少なくとも一部を押圧可能である高さを有することが望ましい。
【００１７】
このようにすれば、光中継アダプタのうち前記各縦板部の他側の部分に嵌め込まれている部分やフランジ部を把持することで、着脱を容易に行うことができる。
請求項５に記載のように、前記光ファイバトレイには、前記第１の縦板部側に、前記光ファイバトレイの下側に配置される第２の光中継アダプタに光コネクタを接続するための開口が形成され、前記第１の光中継アダプタと前記第２の光中継アダプタとは、それらに対する光コネクタの差し込み方向が、平面視でずれていることが望ましい。
【００１８】
このようにすれば、上側に位置する第１の光中継アダプタと下側に位置する第２の光中継アダプタとは、それらに対する光コネクタの差し込み方向が、平面視でずれるので、一方の光中継アダプタへの光コネクタの差し込み作業が、他方の光中継アダプタ側の状態の影響を受けることなく行うことができる。
【００１９】
請求項６に記載のように、前記第１の光中継アダプタは、通信系の光ファイバ接続に用いられるものとすることができる。
【００２０】
このようにすれば、スペース的に制約を受ける光ファイバトレイ上の通信系の光ファイバについても、放送系の光ファイバと同様に、外部から導入される側と、外部に導出される側とが、光受信機内で、接続解除可能に接続される。
【発明の効果】
【００２１】
本発明は、上記のように構成したから、アダプタホルダへの光中継アダプタの取付方向を変えることで、着脱容易な仮止めと、安定した取り付けとを選択することができる。よって、光中継アダプタの取り付けの際に、光中継アダプタの着脱が容易である仮止めと、外れにくい、安定した取り付けとを簡単に選択することができる。
【発明を実施するための最良の形態】
【００２２】
以下、本発明の実施の形態を図面に沿って説明する。
【００２３】
図１は本発明に係る光受信機を示し、図１（ａ）は正面図、図１（ｂ）は側面図、図１（ｃ）は底面図、図２は前記光受信機の分解斜視図である。
【００２４】
図１（ａ）〜（ｃ）に示すように、本発明に係る光受信機１１は、箱形状の機器本体ケース１２と、この機器本体ケース１２の上側左右側部に、上側左右側部の取付フランジ部１３ａが回転可能に支持される蓋体１３とを有する。なお、機器本体ケース１２には、壁面等に取り付けるために、１つの上側取付フランジ部１２ａと、３つの下側取付フランジ部１２ｂが設けられている。
【００２５】
また、機器本体ケース１２の底面部１２Ａ（取付状態で下面となる、取付フランジ部１２ｂが設けられている側の底面部）には、３つの開孔１２Ａｃが形成され、そのうち２つの開孔１２Ａｃ（例えば中央と右側の開孔１２Ａｃ（図１（ｃ）参照））を通じて、後述するシールドケース３１に設けられた２つのＦ型接栓３２が突出し、図示しない同軸ケーブルのＦ型コネクタが接続される構成となっている。
【００２６】
機器本体ケース１２内には、電源ユニット２１と、光受信機本体ユニット２２とが並んで収納され、それらの上側の開口部分が光ファイバトレイ２３によって閉塞される構成となっている。光ファイバトレイ２３には、機器本体ケース１２の係止爪１２ｃにて係止される係止面部２３ａが形成され、この係止面部２３ａが係止爪１２ｃによって係止されることで光ファイバトレイ２３が機器本体ケース１２に係止される。
【００２７】
電源ユニット２１の電源コード２１ａは、底面部１２Ａに形成される切り欠き部１２Ａａを通じて外部に導出される。また、光受信機本体ユニット２２から突出するＦ型接栓３２は、機器本体ケース１２の底面部１２Ａの開孔１２Ａｃを通じて、外部に突出するようになっている。
【００２８】
この光ファイバトレイ２３には、後述するように、外部から導入された放送系の光ファイバＷ３の端部の光コネクタ２８Ａを、光ファイバトレイ２３の下側に位置する第２の光中継アダプタ３５の接続部３５ａに接続するために、光コネクタ案内面２３ｃ（傾斜面）及び光コネクタ通し口２３ｄ（開口）が設けられている。この光コネクタ通し口２３ｄに隣接して、光コネクタ案内面２３ｃとは反対側であって光ファイバトレイ２３の上側に、通信系の光ファイバ用の第１の光中継アダプタ２４を支持するアダプタホルダ部２５が一体に成形されている。
【００２９】
この光中継アダプタ２４は、図３（ａ）（ｂ）及び図４に示すように、光コネクタを接続するための２つの接続部すなわち第１及び第２の接続部２４ａ，２４ｂと、それらの間において左右側方に突出する一対のフランジ部２４ｃ，２４ｃとを有する。第１の接続部２４ａには、外部から光ファイバ挿入口２３ｂを通じて導入される通信系の光ファイバＷ１の端部の光コネクタ２７Ａが着脱可能に接続される一方、第２の接続部２４ｂには、外部に導出され一端部が通信系端末（図示せず）に接続される通信系の光ファイバＷ２の他端部の光コネクタ２７Ｂが着脱可能に接続される。また、第２の接続部２４ｂの左右側面において、板バネ状の係止プレート部２４ｄ，２４ｄが設けられている。この係止プレート部２４ｄは、フランジ部２４ｃ側の端部が、前記側面との間に間隔を存する自由端となっている。なお、第１及び第２の接続部２４ａ，２４ｂは、光コネクタ２７Ａ，２７Ｂが接続されるまでは、図３（ｃ）に示すキャップ２６によって閉塞される。
【００３０】
光ファイバトレイ２３上のアダプタホルダ部２５は、図２及び図５に示すように、第１の光中継アダプタ２４の接続部２４ａ，２４ｂの幅に対応する間隔でもって平行に配置される左右一対の縦板部２５ａ，２５ａを有し、各縦板部２５ａ，２５ａには第１の光中継アダプタ２４のフランジ部２４ｃ，２４ｃの厚さに相当する間隔を有し第１の光中継アダプタ２４のフランジ部２４ａ，２４ａが係脱可能に係合する係合スリット２５ｂ，２５ｂが形成されている。
【００３１】
アダプタホルダ部２５について、図６（ａ）〜（ｄ）に沿ってさらに詳細に説明する。
【００３２】
各縦板部２５ａ，２５ａは、係合スリット２５ｂ，２５ｂを挟んで、一側の部分２５ａａ，２５ａａの高さを他側の部分２５ａｂ，２５ａｂの高さよりも低くなるように形成されている。これにより、光中継アダプタ２４をアダプタホルダ部２５に取り付ける際に、図２に矢符Ｘで示すように、高さが低い一側の部分２５ａａ，２５ａａ側の斜め上方からの挿入が、縦板部２５ａ，２５ａに邪魔されることなく、無理なく行えるようになっている。
【００３３】
そして、高さが高い他側の部分２５ａｂ，２５ａｂの一方の部分の内面側に、係止プレート部２４ｄが弾性的に係止される係合凹部２５ｃが形成されている。これにより、高さが高い他側の部分２５ａｂは、光中継アダプタ２４の係止プレート部２４ｄを係止する係合凹部２５ｃを設けることができる高さであればよいので、光中継アダプタ２４の高さより高くする必要がなく、高さ方向においてスペースの制約を受ける場合に有利な大きさとなっている。また、一側の部分２５ａａ，２５ａａは、係止プレート部２４ｄの少なくとも一部（高さ方向における下側部分）を押圧可能である高さを有すればよいので、他側の部分２５ａｂ，２５ａｂよりも高さが低くてよくなり、一側の部分２５ａａ，２５ａａ側から、アダプタホルダ部２５への光中継アダプタ２４の取り付けが容易になされる。つまり、光中継アダプタ２４のフランジ部２４ｃ，２４ｃを係合スリット２５ｂ，２５ｂに係合させたり、接続部２４ｂを他側の部分２５ａｂ，２５ａｂに差し込んだりするのが容易に行うことができる。
【００３４】
また、一側の部分２５ａａ，２５ａａの、他側の部分２５ａｂ，２５ａｂとは反対側に、光コネクタ通し口２３ｄ（開口）が設けられ、光コネクタ通し口２３ｄを通じて、下側に位置する第２の光中継アダプタ３５に、外部から導入される光ファイバＷ３の端部の光コネクタ２８Ａが接続されるようになっている。そして図７に示すように、第１の光中継アダプタ２４と第２の光中継アダプタ３５とは、それらに対する光コネクタ２７Ａ，２８Ａの差し込み方向（接続方向）が平面視で横方向にずれ、光コネクタ２７Ａ及び光ファイバＷ１と、光コネクタ２８Ａ及び光ファイバＷ３とが互いに離れて、干渉しないような配置とされている。よって、一方の光中継アダプタ２４への光コネクタ２７Ａの差し込み作業（接続作業）が、他方の光中継アダプタ３５側の状態の影響を受けることなく行うことができ、その作業の際に互いに邪魔にならない配置となっている。また、同様に、他方の光中継アダプタ３５への光コネクタ２８Ａの差し込み作業（接続作業）も、一方の光中継アダプタ２４側の状態の影響を受けることなく行うことができる。
【００３５】
よって、上記のような構成のアダプタホルダ部２５とすることで、図８（ａ）に示すように、例えば工場出荷の際に、フランジ部２４ｃがアダプタホルダ部２５の係合スリット２５ｂに係合した状態で、係止プレート部２４ｄがある接続部２４ｂ側が一側の部分２５ａａ，２５ａａになるようにアダプタホルダ部２５に嵌め込んで光中継アダプタ２４をアダプタホルダ部２５に保持させれば、光受信機１１の取付作業現場で、光中継アダプタ２４への光コネクタ２７Ａ，２７Ｂの接続のために、アダプタホルダ部２５から光中継アダプタ２４の取り外しが容易な仮止め状態とすることができる。
【００３６】
一方、図８（ｂ）に示すように、フランジ部２４ｃがアダプタホルダ部２５の係合スリット２５ｂに係合した状態で、係止プレート部２４ｄがある接続部２４ｂ側が他側の部分２５ａｂ，２５ａｂになるように、アダプタホルダ部２５に嵌め込んで光中継アダプタ２４をアダプタホルダ部２５に保持させれば、係止プレート部２４ｄが係合凹部２５ｃに係止され、不用意に外れない、安定した取付状態となる。なお、この状態において、アダプタホルダ部２５から光中継アダプタ２４を取り外す場合には、板状の挿入部を有する取り外し用工具を用い、他側の部分２５ａｂの端部側から、他側の部分２５ａｂと接続部２４ｂとの間に前記工具の挿入部を挿入し、前記挿入部をフランジ部２４ｃ側に移動させることで、係合凹部２５ｃによる係止プレート部２４ｄの係止を解除すれば、比較的簡単に取り外すことができる。
【００３７】
また、光受信機本体ユニット２２は、シールドケース３１内に、電源ユニット２１によって電力を供給され（放送系の）光信号を電気信号に変換する変換手段（図示せず）を備える。光中継アダプタ３５の一方の接続部３５ａには、外部から導入される放送系の光ファイバＷ３の端部の光コネクタ２８Ａが着脱可能に接続され、光中継アダプタ３５の他方の接続部３５ｂには、前記変換手段に一端部が接続される光ファイバＷ４の他端部の光コネクタ２８Ｂがシールドケース３１外に導き出され、この光ファイバＷ４の他端部の光コネクタ２８Ｂが第２の光中継アダプタ３５の他方の接続部３５ｂに着脱可能に接続されている（図２参照）。つまり、第２の光中継アダプタ３５によって、シールドケース３１内の前記変換手段に一端部が接続される光ファイバＷ４の他端部と外部から導入される光ファイバＷ３の余長部分の端部とが光学的に接続される。
【００３８】
また、シールドケース３１上には、図２に示すように、箱形状で、合成樹脂製のアダプタホルダ３４が取り付けられ、このアダプタホルダ３４に第２の光中継アダプタ３５が保持されている。そして、外部から光ファイバ挿入口２３ｂを通じて導入された光ファイバ（図示せず）の余長部分が、トレイ２３上の複数のリブに対して巻き付けられ、それの端部の光コネクタ（図示せず）が、第２の光中継アダプタ３５の接続部３５ａに接続されている。
【００３９】
この光中継アダプタ３５も、左右に突出するフランジ部３５ｃを有し、このフランジ部３５ｃが係脱可能に係合するスリット３４ｄがアダプタホルダ３４の左右側板部に形成されている。そして、アダプタホルダ３４には、フランジ部３５ｃがアダプタホルダ３４のスリット３４ｄに係合した状態で、光中継アダプタ３５のフランジ部３５ｃを係止する係止爪部３４ｅが設けられている。
【００４０】
本発明は、前記実施の形態に制限されるものではなく、次のように変更することも可能である。
【００４１】
(i)前記実施の形態では、アダプタホルダ部２５は、光コネクタ通し口２３ｄに隣接して、光ファイバトレイ２３と一体に成形しているが、本発明はそれに限定されるものではなく、光ファイバトレイ上の別の部位に設けることができるのはもちろんであるし、別体として、矩形板形状の底板部より一対の縦板部が立設されているようにして、アダプタホルダ３５のように、任意の場所に取り付けられる独立した部品とすることも可能である。
【００４２】
(ii)前記実施の形態では、係止プレート部２４ｄが弾性的に係止される係合凹部２５ｃを、左右一対の縦板部２５ａ，２５ａの他側の部分２５ａｂ，２５ａｂの一方だけに設けているが、図６に鎖線で示すように、両方に対向するように設けてよいのはもちろんである。両方に設ければ、不用意に外れない状態となり、取付安定性がより増すことになる。
【００４３】
(iii)前記実施の形態では、一側の部分２５ａａの高さを他側の部分２５ａｂの高さより低くし、光中継アダプタ２４の挿入が容易になるようにしているが、フランジ部を把持して取り外すことも可能であるので、一側の部分の高さと他側の部分の高さを同じにすることもできる。
【図面の簡単な説明】
【００４４】
【図１】本発明に係る光受信機を示し、図１（ａ）は正面図、図１（ｂ）は側面図、図１（ｃ）は底面図である。
【図２】前記光受信機の分解斜視図である。
【図３】図３（ａ）（ｂ）はそれぞれアダプタを示し、図３（ａ）は正面図、図３（ｂ）は左側部分を断面にして示す側面図、図３（ｃ）はキャップの側面図である。
【図４】アダプタの斜視図である。
【図５】光ファイバトレイの平面図である。
【図６】光ファイバトレイのアダプタホルダ部を示し、図６（ａ）は平面図、図６（ｂ）は図６（ａ）のＡ−Ａ線断面図、図６（ｂ）は図６（ａ）のＢ−Ｂ線断面図、図６（ｃ）は図６（ａ）のＣ−Ｃ線断面図である。
【図７】光ファイバトレイを機器本体ケースに取り付けた状態の平面図である。
【図８】アダプタの保持状態を示し、図８（ａ）は仮止め状態を示す説明図、図８（ｂ）は本止め状態を示す説明図である。
【符号の説明】
【００４５】
Ｗ１，Ｗ２    通信系の光ファイバ
Ｗ３，Ｗ４    放送系の光ファイバ
１１    光受信機
２３    光ファイバトレイ
２３ｄ    光コネクタ通し口（開口）
２４    第１の光中継アダプタ
２４ａ，２４ｂ    接続部
２４ｃ    フランジ部
２４ｄ    係止プレート部
２５    アダプタホルダ部（アダプタホルダ）
２５ａ    縦板部
２５ａａ    一側の部分
２５ａｂ    他側の部分
２５ｂ    係合スリット
２５ｃ    係合凹部
２７Ａ，２７Ｂ    光コネクタ
２８Ａ，２８Ｂ    光コネクタ
３４    アダプタホルダ
３５    第２の光中継アダプタ
【図１】
2010002477.tif 000003
【図２】
2010002477.tif 000004
【図３】
2010002477.tif 000005
【図４】
2010002477.tif 000006
【図５】
2010002477.tif 000007
【図６】
2010002477.tif 000008
【図７】
2010002477.tif 000009
【図８】
2010002477.tif 000010